(57)【要約】      （修正有）【課題】バケットに対して容易に連結することができると共に、その連結状態を保持することができる包装具を提供する。【解決手段】包装具３は、紙材で形成され、バケット２に連結されて切り花の上部を包装する。包装具は、切り花の上部を囲むように筒状に形成される筒体２０と、筒体の内部空間を挟んで対向する位置において筒体の下端から下方に延設され、互いに接近するように撓ませながらバケットに形成された一対の係合穴１３に上方から進入させ、一対の係合穴の下縁部１３Ｄに係合する一対の第１係合片２５と、一対の第１係合片の一部に切り込みを入れることで、上辺を自由端とし、下辺を支点として回動可能に形成され、一対の第１係合片を一対の係合穴の下縁部に係合させた後、一対の係合穴に押し込まれ、一対の係合穴の上縁部に係合する一対の第２係合片２６と、を備えている。【選択図】図１
0003234673.tif 000002
【実用新案登録請求の範囲】
【請求項１】
紙材で形成され、物品の下部を収容するバケット（２）に連結されて前記物品の上部を包装する包装具（３，４）であって、
前記物品の上部を囲むように筒状に形成される筒体（２０）と、
前記筒体の内部空間（Ｓ２）を挟んで対向する位置において前記筒体の下端から下方に延設され、互いに接近するように撓ませながら前記バケットに形成された一対の係合穴（１３）に上方から進入させ、一対の前記係合穴の下縁部（１３Ｄ）に係合する一対の第１係合片（２５）と、
一対の前記第１係合片の一部に切り込みを入れることで、上辺を自由端とし、下辺を支点として回動可能に形成され、一対の前記第１係合片を一対の前記係合穴の前記下縁部に係合させた後、一対の前記係合穴に押し込まれ、一対の前記係合穴の上縁部（１３Ｕ）に係合する一対の第２係合片（２６）と、を備えていることを特徴とする包装具。
【請求項２】
各々の前記第１係合片には、前記第２係合片の自由端に隣接する位置に係合解除穴（２８）が穿設されていることを特徴とする請求項１に記載の包装具。
【請求項３】
一対の前記第１係合片とは周方向にずれた位置において前記筒体の下端から下方に延設され、前記バケットの内面に沿って進入する一対のガイド片（２４）を更に備えていることを特徴とする請求項１または２に記載の包装具。
【請求項４】
前記物品は、下部よりも上部が径方向に広がる形状であり、
前記筒体は、下方から上方に向かって徐々に開口が広がるように形成されていることを特徴とする請求項１ないし３のいずれか１項に記載の包装具。
【請求項５】
前記筒体は、一対の第１側壁（２２）と一対の第２側壁（２３）とを交互に連設することで下方から上方に向かって徐々に開口が広がる四角筒状に形成され、
前記第１側壁は、前記第２側壁よりも横方向に幅広く形成されており、
前記第１側壁には、横方向に二等分にする位置に、前記筒体を平坦に折り畳む際に折り曲げられ、四角筒状を形成する際に広げられる捨て罫線（３２）が形成されていることを特徴とする請求項４に記載の包装具。
【請求項６】
前記筒体は、一対の第１側壁（２２）と一対の第２側壁（２３）とを交互に連設することで四角筒状に形成され、
一対の前記第１側壁と一対の前記第２側壁の少なくとも１つには、上下方向の中間部において横方向に延びる開放折線（３１）が形成され、
一対の前記第１側壁と一対の前記第２側壁の少なくとも１つは、前記四角筒状の角を成す境界線（３０）に沿って切断されながら前記開放折線に沿って外側に折り曲げられることを特徴とする請求項１ないし５のいずれか１項に記載の包装具。
【請求項７】
請求項１ないし６のいずれか１項に記載の包装具を形成することを特徴とするブランク。
【考案の詳細な説明】
【技術分野】
【０００１】
本考案は、物品の下部を収容するバケットに連結されて物品の上部を包装する包装具およびブランクに関する。
【背景技術】
【０００２】
茎の長い切花の包装容器であって、上部が開口している容器の上部に支持される筒体が知られている（特許文献１）。筒体の底部を容器の上部に形成された溝に嵌め込むことで、容器の上部に設けられたフックが筒体に開口した切抜き穴に係合し、容器に筒体が連結されていた。
【先行技術文献】
【特許文献】
【０００３】
【特許文献１】特表２００８−５１５７３５号公報
【考案の概要】
【考案が解決しようとする課題】
【０００４】
しかしながら、容器のフックの先端が筒体の切抜き穴に軽く係合しているだけであるため、例えば、ユーザが筒体を掴んで包装容器全体を持ち上げた場合、切抜き穴からフックが外れ、容器が落下する虞があった。
【０００５】
本考案は、上記事情を考慮し、バケットに対して容易に連結することができると共に、その連結状態を保持することができる包装具およびブランクを提供する。
【課題を解決するための手段】
【０００６】
本考案は、紙材で形成され、物品の下部を収容するバケットに連結されて前記物品の上部を包装する包装具であって、前記物品の上部を囲むように筒状に形成される筒体と、前記筒体の内部空間を挟んで対向する位置において前記筒体の下端から下方に延設され、互いに接近するように撓ませながら前記バケットに形成された一対の係合穴に上方から進入させ、一対の前記係合穴の下縁部に係合する一対の第１係合片と、一対の前記第１係合片の一部に切り込みを入れることで、上辺を自由端とし、下辺を支点として回動可能に形成され、一対の前記第１係合片を一対の前記係合穴の前記下縁部に係合させた後、一対の前記係合穴に押し込まれ、一対の前記係合穴の上縁部に係合する一対の第２係合片と、を備えている。
【０００７】
この場合、各々の前記第１係合片には、前記第２係合片の自由端に隣接する位置に係合解除穴が穿設されてもよい。
【０００８】
この場合、一対の前記第１係合片とは周方向にずれた位置において前記筒体の下端から下方に延設され、前記バケットの内面に沿って進入する一対のガイド片を更に備えてもよい。
【０００９】
この場合、前記物品は、下部よりも上部が径方向に広がる形状であり、前記筒体は、下方から上方に向かって徐々に開口が広がるように形成されてもよい。
【００１０】
この場合、前記筒体は、一対の第１側壁と一対の第２側壁とを交互に連設することで下方から上方に向かって徐々に開口が広がる四角筒状に形成され、前記第１側壁は、前記第２側壁よりも横方向に幅広く形成されており、前記第１側壁には、横方向に二等分にする位置に、前記筒体を平坦に折り畳む際に折り曲げられ、四角筒状を形成する際に広げられる捨て罫線が形成されてもよい。
【００１１】
この場合、前記筒体は、一対の第１側壁と一対の第２側壁とを交互に連設することで四角筒状に形成され、一対の前記第１側壁と一対の前記第２側壁の少なくとも１つには、上下方向の中間部において横方向に延びる開放折線が形成され、一対の前記第１側壁と一対の前記第２側壁の少なくとも１つは、前記四角筒状の角を成す境界線に沿って切断されながら前記開放折線に沿って外側に折り曲げられてもよい。
【００１２】
本考案に係るブランクは、上記のいずれかに記載の包装具を形成する。
【考案の効果】
【００１３】
本考案によれば、包装具をバケットに対して容易に連結することができると共に、その連結状態を保持することができる。
【図面の簡単な説明】
【００１４】
【図１】本考案の一実施形態に係る包装容器を示す斜視図である。
【図２】本考案の一実施形態に係る包装容器のバケットを示す斜視図である。
【図３】本考案の一実施形態に係る包装具のブランクを示す平面図である。
【図４】本考案の一実施形態に係る包装具を折り畳んだ状態を示す斜視図である。
【図５】本考案の一実施形態に係る包装具をバケットに連結した部分を拡大して示す断面図である。
【図６】本考案の一実施形態に係る包装容器の第２の開封方法を説明する斜視図である。
【図７】本考案の一実施形態の変形例に係る包装具のブランクを示す平面図である。
【図８】本考案の一実施形態の変形例に係る包装容器を示す斜視図である。
【考案を実施するための形態】
【００１５】
以下、添付の図面を参照しつつ、本考案の実施形態について説明する。なお、図面に示すＦｒ、Ｒｒ、Ｌ、Ｒ、Ｕ、Ｄは、前、後、左、右、上、下を示している。前後方向、左右方向および上下方向は互いに直交している。本明細書では方向や位置を示す用語を用いるが、それらの用語は説明の便宜のために用いるものであって、本考案の技術的範囲を限定するものではない。また、方向や位置を示す用語は、包装容器を使用する状態での方向や位置を基準にしている。
【００１６】
［包装容器］
図１ないし図３を参照して、実施形態に係る包装容器１について説明する。図１は包装容器１を示す斜視図である。図２はバケット２を示す斜視図である。図３は包装具３のブランク３Ａを示す平面図である。図４は包装具３を折り畳んだ状態を示す斜視図である。
【００１７】
図１に示す包装容器１は、物品の一例としての複数の切り花（図示せず）を輸送する際に使用される容器である。包装容器１は、合成樹脂材で形成されるバケット２と、段ボール等の紙材で形成される包装具３と、備えている。バケット２は、全体的に四角筒状（四角柱状）に形成されている。バケット２は、複数の切り花の下部が収容され、複数の切り花を起立した姿勢に保持する。各切り花は上下方向に延びた茎の上部に花をつけているため、バケット２に保持された複数の切り花は下部よりも上部が径方向に広がる形状になっている（図示せず）。包装具３は、複数の切り花の形状に合わせて、下方から上方に向かって徐々に開口が広がる略四角筒状に形成されている。包装具３は、バケット２に連結されて複数の切り花の上部を包装する。
【００１８】
［バケット］
図１および図２に示すように、バケット２は、収容部１０と、外枠部１１と、を有している。収容部１０と外枠部１１とは一体に形成されている。
【００１９】
＜収容部＞
収容部１０は、上面を開口させ、底面を有する略四角筒状に形成されている。収容部１０は、平面から見て左右方向を長辺とする略長方形状に形成されている。収容部１０の底面には、水抜き用のスリット（または穴）が形成されている（図示せず）。収容部１０の収容空間Ｓ１には、切り花の下部が収容される。
【００２０】
＜外枠部＞
外枠部１１は、収容部１０の上端から下方に延設され、収容部１０の外側を覆うように略枠状に形成されている。外枠部１１は、収容部１０の外周面との間に空間を挟んで対向している。収容部１０と外枠部１１とは上端面部１２で連設され、上端面部１２は略四角環状に形成されている。外枠部１１の下端は、収容部１０の底面と共に床面に当接してバケット２を起立させる脚として機能する。外枠部１１の左右両側の上部には、一対の係合穴１３が形成されている。各係合穴１３は、前後方向を長辺とする略長方形状の開口であり、収容部１０と外枠部１１との間の空間に連通している。
【００２１】
［包装具］
図１に示すように、包装具３は、筒体２０と、一対の連結部２１と、を有している。筒体２０と一対の連結部２１とは一体に形成されている。筒体２０は、切り花の上部を囲むように四角筒状に形成されている。一対の連結部２１は、筒体２０の左右両側の下部に形成され、筒体２０をバケット２に連結させる機能を有する。
【００２２】
包装具３は、図３に示すブランク３Ａを適宜折り曲げる等することで組み立てられる。ブランク３Ａは、１枚の紙製の段ボールシートを抜型等で打ち抜いて形成されている。段ボールシートは、例えば、波状の中しん９Ａに表ライナ９Ｂと裏ライナ９Ｃ（図６も参照）とを貼り合せた両面段ボールシートである。なお、図３は、表ライナ９Ｂ側を示している。本明細書では、段ボールシートの中しん９Ａと平行な方向を「段方向」と呼び、段方向に直交する方向を「流れ方向」と呼ぶこととする。図面に示す「Ｘ」は「段方向」を示し、「Ｙ」は「流れ方向」を示している。
【００２３】
［ブランク］
図３に示すように、ブランク３Ａは、一対の第１側壁２２と、一対の第２側壁２３と、一対のガイド片２４と、一対の第１係合片２５と、一対の第２係合片２６と、を備えている。一対の第１側壁２２および一対の第２側壁２３が筒体２０を形成し、一対のガイド片２４、一対の第１係合片２５および一対の第２係合片２６が連結部２１を形成している。なお、本明細書では、各部の位置や向きを説明する際に、「段方向・流れ方向」との用語を用いるが、「段方向」との用語は、厳密に段方向と平行な方向に限定される意味ではなく、段方向に対して傾いているが段方向に近似できる方向も含む意味であり、「流れ方向」との用語は、厳密に流れ方向と平行な方向に限定される意味ではなく、流れ方向に対して傾いているが流れ方向に近似できる方向も含む意味である。
【００２４】
＜第１側壁、第２側壁＞
一対の第１側壁２２と一対の第２側壁２３とは、折曲線３０を介して流れ方向に交互に連設されている。流れ方向の一方に位置する第１側壁２２の流れ方向の一端には、折曲線３０を介して継代片２７が連設されている。各第１側壁２２と各第２側壁２３とは略台形状に形成されており、ブランク３Ａは全体的に段方向の一方（下方）よりも他方（上方）の方が流れ方向に広がるような略扇状に形成されている。つまり、複数の折曲線３０は、互いに平行ではなく、段方向の一方から他方に向かって放射状に広がるように伸長している。各第１側壁２２と各第２側壁２３との上方角部は、斜めに隅切りされている。各第１側壁２２は、第２側壁２３よりも流れ方向（横方向）に幅広く（約２倍）形成されている。
【００２５】
（開放折線）
各第１側壁２２、各第２側壁２３および継代片２７には、段方向（上下方向）の略中央において流れ方向（横方向）に延びる開放折線３１が形成されている。各開放折線３１は、第１側壁２２または第２側壁２３の上辺と略平行に形成されている。
【００２６】
＜ガイド片＞
各ガイド片２４は、第１側壁２２の下辺よりも幅狭い略長方形状に形成され、第１側壁２２の段方向の一端（下端）から一方（下方）に向かって延設されている。各ガイド片２４は、継ぎ目なく第１側壁２２と一体に形成されている。
【００２７】
（捨て罫線）
各第１側壁２２および各ガイド片２４には、これらを流れ方向（横方向）に二等分にする位置に捨て罫線３２が形成されている。各捨て罫線３２は、開放折線３１と直交している。詳細は後述するが、各捨て罫線３２は、筒体２０を平坦に折り畳む際に折り曲げられ、四角筒状を形成する際に広げられる。
【００２８】
＜第１係合片＞
各第１係合片２５は、第１係合折線３３を介して第２側壁２３の段方向の一端（下端）に連設され、第２側壁２３の下端から下方に向かって延設されている。正確には、各第１係合片２５の根本部（第１係合折線３３）は、第２側壁２３の下端よりも僅かに上方に食い込んでいる。各第１係合片２５は第２側壁２３の下辺よりも幅狭い略長方形状に形成され、その下端角部は円弧状に切り欠かれている。
【００２９】
＜第２係合片＞
各第２係合片２６は、一対の第１係合片２５の中央付近（一部）に倒立した略Ｕ字状の切り込みを入れることで形成されている。各第２係合片２６は、第１係合片２５よりも小さく、段方向の一方（下方）から他方（上方）に向かって徐々に幅広くなる略台形状に形成されている。各第２係合片２６の上端角部は円弧状に切り欠かれている。各第２係合片２６の下端には、Ｕ字の切り込みの両端を結ぶように第２係合折線３４が形成されている。各第２係合片２６は、上辺を自由端とし、下辺（第２係合折線３４）を支点として回動可能に形成されている。
【００３０】
（係合解除穴）
また、各第１係合片２５には、第２係合片２６の自由端に隣接する位置に係合解除穴２８が穿設されている。正確には、各係合解除穴２８は、第２係合片２６の右上角部の端面を露出させるように開口している。各係合解除穴２８は、円の一部を成すような形状に形成されている。
【００３１】
なお、第１係合折線３３および開放折線３１は段ボールシートを表ライナ９Ｂ側から厚み方向に潰した逆罫線であり、第２係合折線３４は段ボールシートを裏ライナ９Ｃ側から厚み方向に潰した汎用罫線である。また、折曲線３０および捨て罫線３２は汎用罫線上に複数の切目（ミシン目）を入れたリード罫である。開放折線３１よりも上方に位置する折曲線３０のミシン目は、開放折線３１よりも下方に位置する折曲線３０のミシン目に比べて、切目が短く形成され、切目同士の間隔（ピッチ）も短く設定されている。以上説明した汎用罫線やリード罫は、主に裏ライナ９Ｃを内側に向けるように段ボールシートを折り曲げる（正折りする）機能を有している。逆罫線は、主に表ライナ９Ｂを内側に向けるように段ボールシートを折り曲げる（逆折りする）機能を有している。さらに、リード罫は、段ボールシートを切断する機能も有している。上記した折曲線３０等は、汎用罫線、逆罫線、リード罫に限らず、例えば、ミシン目等、段ボールシートを所望の向きに折り曲げたり、切断したりする機能を有する構造であれば如何なるものでもよい。
【００３２】
図４に示すように、１枚の段ボールシートから打ち抜かれたブランク３Ａは、２つ折りに折り畳まれた状態にされる。具体的には、一対の第１側壁２２（一対のガイド片２４）はそれぞれ捨て罫線３２に沿って折り返され（正折りされ）、流れ方向の他方に位置する第２側壁２３は、接着剤（または両面テープ）を介して継代片２７上に重なって固定される。これにより、包装具３（ブランク３Ａ）が折り畳まれた状態になる。この状態で、各第１側壁２２（各ガイド片２４）は略半分に折り返されて二重になり、一対の第２側壁２３は互いに一致するように重なり合っている。また、第１側壁２２と第２側壁２３とは折曲線３０では折り曲げられず、広げられている。なお、折り畳まれた包装具３は、複数積層されて束ねられた状態で、輸送されたり保管されたりする。
【００３３】
［包装容器の組立］
図１および図５を参照して、包装容器１の組立手順の一例、換言すれば切り花の包装手順の一例について説明する。図５は包装具３をバケット２に連結した部分を拡大して示す断面図である。なお、複数の切り花は、その茎の下部をバケット２の収容部１０に差し込まれているものとする。また、複数の切り花は、例えば茎の下部を輪ゴムで束ねられたり、新聞紙やフィルム等で包まれたりはしておらず、収容部１０に差し込まれているだけであるものとする。
【００３４】
＜包装具の形成＞
作業者は、折り畳まれた包装具３（図４参照）を開いて、四角筒状の筒体２０を形成する。具体的には、作業者は、捨て罫線３２で折り返されて二重にされた第１側壁２２を一枚になるように開きながら、第１側壁２２と第２側壁２３とを折曲線３０で正折りして略直交させる（図１参照）。一対の第１側壁２２と一対の第２側壁２３とが周方向に交互に連設され、下方から上方に向かって徐々に開口が広がる四角筒状を成す筒体２０が形成される。
【００３５】
この状態で、一対の第１側壁２２は筒体２０の内部空間Ｓ２を挟んで前後方向に対向し、一対の第２側壁２３は筒体２０の内部空間Ｓ２を挟んで左右方向に対向する。第１側壁２２が第２側壁２３よりも横方向に幅広いため、筒体２０は平面から見て左右方向に長い長方形となる四角筒状に形成されている。一対の第１係合片２５は、内部空間Ｓ２を挟んで左右方向に対向する位置において筒体２０の下端から下方に延設されている。一対のガイド片２４は、内部空間Ｓ２を挟んで前後方向に対向する位置（一対の第１係合片２５とは周方向にずれた位置）において筒体２０の下端から下方に延設されている。
【００３６】
＜包装具の連結＞
次に、作業者は、包装具３をバケット２に連結する（取り付ける）。具体的には、作業者は、包装具３を収容部１０に収容された切り花よりも上方に配置し、包装具３を下降させ、相対的に切り花を筒体２０の下面開口から内部空間Ｓ２に進入させる。包装具３の下降が進むと、一対のガイド片２４は収容部１０の前後方向の内面に沿って進入し、一対の第１係合片２５は第１係合折線３３に沿って僅かに外側に折れながら外枠部１１の左右方向の外側に沿って下降する（図１参照）。作業者は、一対の第１係合片２５を互いに接近するように内側に撓ませながら外枠部１１の一対の係合穴１３に上方から進入させる（図１参照）。
【００３７】
筒体２０の下端がバケット２の上端面部１２に当接すると（図１参照）、包装具３の下降が規制され、複数の切り花の上部が筒体２０に囲まれた状態になる。筒体２０は、バケット２の上端面部１２から上方に延びた切り花の高さ以上の高さに設定されており、切り花の上部が筒体２０の上面開口から突き出ないようになっている。また、図１および図５に示すように、一対の第１係合片２５は、自身の弾性力によって内側から一対の係合穴１３の下縁部１３Ｄに押し付けられる（係合する）。
【００３８】
各第１係合片２５を係合穴１３の下縁部１３Ｄに係合させた後、作業者は、一対の第２係合片２６を一対の係合穴１３に押し込む。各第２係合片２６は、第１係合片２５から刳り貫かれながら第２係合折線３４に沿って内側に折れ曲がり、撓みながら係合穴１３の上縁部１３Ｕを乗り越えて係合穴１３に進入する。図１および図５に示すように、一対の第２係合片２６は、自身の弾性力によって内側から一対の係合穴１３の上縁部１３Ｕに押し付けられる（係合する）。
【００３９】
以上によって、バケット２に対する包装具３の連結が完了する（図１参照）。つまり、包装容器１が完成する。切り花を収容した包装容器１は、小売店や個人等のユーザのもとへ届けられる。バケット２に収容された複数の切り花の上部は、筒体２０の内部空間Ｓ２に配置されているため、輸送時等において外部から加わる衝撃等から保護される。
【００４０】
以上説明した本実施形態に係る包装具３によれば、筒体２０の下部をバケット２の上部に配置し、各第１係合片２５を係合穴１３に差し込んだ後、各第２係合片２６を係合穴１３に押し込むことで、包装具３をバケット２に連結することができる。一対の第１係合片２５と一対の第２係合片２６とはバケット２を左右両側から挟み込む位置で一対の係合穴１３の下縁部１３Ｄおよび上縁部１３Ｕに係合するため（図５参照）、バケット２に対して包装具３の上下、左右および前後への移動を規制することができる。このように、包装具３をバケット２に対して容易に連結することができると共に、その連結状態を保持することができる。その結果、例えば、ユーザが包装具３を掴んで包装容器１全体を持ち上げたとしても、包装具３がバケット２から外れることを抑制することができる。
【００４１】
また、本実施形態に係る包装具３によれば、一対のガイド片２４をバケット２の内側に進入させ、一対の第１係合片２５をバケット２の外側に沿わせることで、バケット２に対する筒体２０の設置位置を正確に合わせることができる。
【００４２】
また、本実施形態に係る包装具３によれば、筒体２０の上方が広がる形状であるため、上部が径方向に広がった複数の切り花（花弁等）が筒体２０の内面に強く押し当てられることが抑制される。つまり、切り花の損傷を抑えつつ筒体２０で包み込むことができる。これにより、複数の切り花を輪ゴムで束ねたり、束ねた切り花をフィルムや紙等で包んだりすることを省略したとしても、複数の切り花を適切に保護することができる。その結果、バケット２と包装具３とを用いた切り花の梱包作業を効率良く迅速に行うことが可能になる。
【００４３】
また、本実施形態に係る包装具３によれば、筒体２０が下部から上方に向かって広がる四角筒状であっても、各第１側壁２２を捨て罫線３２に沿って折り返すことで、平坦に折り畳むことができる（図４参照）。これにより、包装具３をコンパクトにすることができるため、輸送コストを低減すことができると共に、保管場所の省スペース化を図ることができる。また、使用時には折り返された第１側壁２２を開きながら各第１側壁２２と各第２側壁２３とを直交させることで、四角筒状の筒体２０を簡単に形成することができる。
【００４４】
［包装容器の開封］
次に、図６を参照して、包装容器１の開封について説明する。図６は包装容器１の第２の開封方法を説明する斜視図である。
【００４５】
＜第１の開封方法＞
第１の開封方法として、ユーザは、バケット２に対する包装具３の連結を解除し、包装具３を取り外すことができる。具体的には、ユーザは、第１係合片２５に開口した係合解除穴２８に差し入れた指を第２係合片２６に掛け、第２係合片２６を外側に引き出す。各第２係合片２６は、撓みながら係合穴１３の上縁部１３Ｕを乗り越えて係合穴１３から引き抜かれる。これにより、バケット２に対する包装具３の連結が解除される。
【００４６】
続いて、ユーザは、筒体２０を持ち上げ、各ガイド片２４を収容部１０から引き抜き、各第１係合片２５を係合穴１３から引き抜く。以上によって、包装具３がバケット２から分離され、バケット２に支持された複数の切り花の上部が露出する。なお、複数の切り花が全て取り出された後、バケット２は再利用するために回収され、包装具３は廃棄される（または再利用してもよい）。
【００４７】
以上のように、ユーザは係合解除穴２８に指を差し入れて係合穴１３の上縁部１３Ｕに係合した第２係合片２６を引き出すことができる。これにより、バケット２に対する包装具３の連結状態を容易に解除することができる。
【００４８】
＜第２の開封方法＞
また、第２の開封方法として、ユーザは、バケット２に対する包装具３の連結を解除することなく、複数の切り花の上部を露出させることができる。図６に示すように、例えば、ユーザは、いずれか１つの第１側壁２２の上端部を把持して外側下方に引っ張り、その第１側壁２２を左右両側の折曲線３０（四角筒状の角を成す境界線）に沿って一対の第２側壁２３から分断する。各折曲線３０は、開放折線３１よりも上方においてミシン目のピッチが細かくなっている（継目が短い）ため、切断し易くなっている。当該第１側壁２２は、一対の折曲線３０（四角筒状の角を成す境界線）に沿って切断されながら開放折線３１に沿って外側に折り曲げられる。これにより、当該第１側壁２２の略上半分が開放され、内部空間Ｓ２に収容された複数の切り花の上部が露出する。なお、第２の開封方法で開封した場合であっても、複数の切り花が全て取り出された後、第１の開封方法と同様の手順で包装具３はバケット２から分離され、バケット２は回収され、包装具３は廃棄される。
【００４９】
以上のように、第１側壁２２の略上半分が外側に開かれることで、筒体２０の内部空間Ｓ２の上部を大きく開放することができる。これにより、包装具３をバケット２から取り外すことなく、内部空間Ｓ２に収容された複数の切り花を容易に取り出すことができる。
【００５０】
なお、上記した第２の開封方法の一例では、１つの第１側壁２２の略上半分が開放されていたが、本考案はこれに限定されない。いずれか１つの第２側壁２３が一対の折曲線３０に沿って切断されながら開放折線３１に沿って外側に折り曲げられ、当該第２側壁２３の略上半分が開放されてもよい（図示せず）また、他にも、一対の第１側壁２２（または一対の第２側壁２３）が各折曲線３０に沿って切断され、全ての側壁２２，２３が開放折線３１に沿って外側に折り曲げられてもよい（図示せず）。
【００５１】
［変形例］
なお、以上説明した本実施形態に係る包装具３では、第１側壁２２が第２側壁２３よりも横方向に幅広く、筒体２０が平面から見て長方形となる四角筒状に形成されていたが、本考案はこれに限定されない。例えば、図７に示すように、変形例に係る包装具４のブランク４Ａでは、第１側壁２２と第２側壁２３とが略同一形状とされている。図８に示すように、筒体２０（包装具４）は、平面から見て略正方形となる四角筒状に形成されることになる。なお、バケット２も平面から見て略正方形となる四角筒状に形成されている。バケット２の係合穴１３は下縁部１３Ｄを湾曲させた略半円形状に形成されている。また、ブランク４Ａ（図７参照）では、一対の第１側壁２２と一対の第２側壁２３との並び順がブランク３Ａ（図３参照）と異なっており、継代片２７が第２側壁２３に連設されている。また、包装具４ではガイド片２４が省略されている。
【００５２】
また、本実施形態（変形例を含む。以下同じ。）に係る包装具３，４では、筒体２０が下方から上方に向かって開口が広がる四角筒状（四角柱状）に形成されていたが、本考案はこれに限定されない。筒体２０は、上方に向かって拡径する略円筒状に形成されてもよいし、上方に向かって広がる三角筒状（三角柱状）等、四角筒状以外の多角形筒状に形成されてもよい（図示せず）。なお、これらの場合でも、筒体２０を平坦に折り畳むための捨て罫線３２を設けることが好ましい。また、筒体２０を折り畳まないのであれば、捨て罫線３２は省略されてもよい（図示せず）。また、筒体２０は、下方から上方にかけて略同一断面となる筒形状（円筒状、角筒状）とされてもよい（図示せず）。また、包装具３，４（筒体２０）と同様に、バケット２が円筒状や四角筒状以外の多角形筒状に形成されてもよい（図示せず）。
【００５３】
また、本実施形態に係る包装具３，４では、係合解除穴２８が第２係合片２６の上角部近傍に穿設されていたが、本考案はこれに限定されない。係合解除穴２８の形成位置は、第２係合片２６の自由端に隣接する位置であれば自由に変更することができる。また、係合解除穴２８は省略されてもよい（図示せず）。
【００５４】
また、包装具３では、第１側壁２２にガイド片２４が連設されていたが、これに限らず、ガイド片２４は省略されてもよい。また、変形例に係る包装具４では、ガイド片２４が省略されていたが、第１側壁２２にガイド片２４が連設されてもよい。
【００５５】
また、本実施形態に係る包装具３，４では、全ての側壁２２，２３を上下方向に二等分する位置に開放折線３１が形成されていたが、本考案はこれに限定されない。開放折線３１は、一対の第１側壁２２と一対の第２側壁２３の少なくとも１つに形成されていればよい。また、開放折線３１は、各側壁２２，２３の上下方向の中央よりも上方または下方に形成されてもよい（図示せず）。また、開放折線３１は省略してもよい。
【００５６】
また、本実施形態に係る包装具３，４は、紙製の両面段ボールシートで形成されていたが、本考案はこれに限定されない。包装具３は、両面段ボールシートに代えて、片面段ボール、複両面段ボール、複々両面段ボール等で形成されてもよいし、チップボール等の板紙で形成されてもよい。また、包装具３の各部の寸法（幅、奥行き、高さ）や形状、段ボールシート等の厚みや中しん９Ａ（紙目）が延びる方向等は自由に変更してもよい。
【００５７】
また、本実施形態に係る包装容器１は、物品の一例として、複数の切り花が包装されていたが、これに限らず、物品の他の例として、造花であってもよいし、植木鉢に植えられた植物等であってもよい（図示せず）。また、包装容器１は、切り花等に限らず、バケット２に起立姿勢で保持可能な物品であれば適用することができる。
【００５８】
なお、上記実施形態の説明は、本考案に係る包装具およびブランクにおける一態様を示すものであって、本考案の技術範囲は、上記実施形態に限定されるものではない。本考案の技術範囲は、上記実施形態に限定されるものではない。本考案は技術的思想の趣旨を逸脱しない範囲において様々に変更、置換、変形されてもよく、実用新案登録請求の範囲は技術的思想の範囲内に含まれ得る全ての実施態様を含んでいる。
【符号の説明】
【００５９】
２      バケット
３，４  包装具
３Ａ，４Ａ  ブランク
１３    係合穴
１３Ｄ  下縁部
１３Ｕ  上縁部
２０    筒体
２２    第１側壁
２３    第２側壁
２４    ガイド片
２５    第１係合片
２６    第２係合片
２８    係合解除穴
３０    折曲線（境界線）
３１    開放折線
３２    捨て罫線
Ｓ２    内部空間
【図１】
0003234673.tif 000003
【図２】
0003234673.tif 000004
【図３】
0003234673.tif 000005
【図４】
0003234673.tif 000006
【図５】
0003234673.tif 000007
【図６】
0003234673.tif 000008
【図７】
0003234673.tif 000009
【図８】
0003234673.tif 000010